(57)【要約】【課題】文書全体に設定された後処理に対して矛盾する設定を個別範囲に対して容易に実施することができる制御装置、制御方法及び制御プログラムを提供する。【解決手段】設定に応じて印刷物に後処理を実施する後処理機に対し、印刷物の全体及び任意の個別範囲に適用する後処理を設定する印刷設定部と、印刷物の全体に適用する後処理の設定と前記個別範囲に適用する後処理の設定とに矛盾が生じる場合、印刷物の全体に適用される後処理の設定を少なくとも前記個別範囲に対して解除し、前記個別範囲に適用する後処理の設定を有効にするよう制御する制御部と、を有する。【選択図】図３
2014127044.tif 000002
【特許請求の範囲】
【請求項１】
設定に応じて印刷物に後処理を実施する後処理機に対し、印刷物の全体及び任意の個別範囲に適用する後処理を設定する印刷設定部と、
印刷物の全体に適用する後処理の設定と前記個別範囲に適用する後処理の設定とに矛盾が生じる場合、印刷物の全体に適用される後処理の設定を少なくとも前記個別範囲に対して解除し、前記個別範囲に適用する後処理の設定を有効にするよう制御する制御部と、
を有することを特徴とする制御装置。
【請求項２】
前記矛盾が生じる場合に、前記矛盾が生じる旨を示す情報を出力する出力部をさらに有し、
前記制御部は、
前記矛盾が生じる旨を示す情報を前記出力部が出力した後に、印刷物の全体に適用される後処理の設定を少なくとも前記個別範囲に対して解除し、前記個別範囲に適用する後処理の設定を有効にする指示情報を受入れた場合に、印刷物の全体に適用される後処理の設定を少なくとも前記個別範囲に対して解除し、前記個別範囲に適用する後処理の設定を有効にするよう制御すること
を特徴とする請求項１に記載の制御装置。
【請求項３】
前記矛盾が生じる場合に、印刷物の全体に適用される後処理の設定を、印刷物の全体又は前記個別範囲のいずれに対して解除するかを指示する指示情報の入力を促す情報を出力する出力部をさらに有し、
前記制御部は、
前記指示情報が入力された場合に、前記指示情報に従って、印刷物の全体に適用される後処理の設定を、印刷物の全体又は前記個別範囲のいずれかに対して解除するよう制御すること
を特徴とする請求項１に記載の制御装置。
【請求項４】
前記矛盾が生じる場合に、印刷物の全体に適用される後処理の設定を、印刷物の全体に対して解除することを予め設定する解除設定部をさらに有し、
前記出力部は、
印刷物の全体に対して解除することが前記解除設定部に予め設定されている場合には、情報を出力せず、
前記制御部は、
印刷物の全体に対して解除することが前記解除設定部に予め設定されている場合には、印刷物の全体に適用される後処理の設定を、印刷物の全体に対して解除するよう制御すること
を特徴とする請求項３に記載の制御装置。
【請求項５】
設定に応じて印刷物に後処理を実施する後処理機に対し、印刷物の全体及び任意の個別範囲に適用する後処理を設定する工程と、
印刷物の全体に適用する後処理の設定と前記個別範囲に適用する後処理の設定とに矛盾が生じる場合、印刷物の全体に適用される後処理の設定を少なくとも前記個別範囲に対して解除し、前記個別範囲に適用する後処理の設定を有効にするよう制御する工程と、
を含むことを特徴とする制御方法。
【請求項６】
設定に応じて印刷物に後処理を実施する後処理機に対し、印刷物の全体及び任意の個別範囲に適用する後処理を設定するステップと、
印刷物の全体に適用する後処理の設定と前記個別範囲に適用する後処理の設定とに矛盾が生じる場合、印刷物の全体に適用される後処理の設定を少なくとも前記個別範囲に対して解除し、前記個別範囲に適用する後処理の設定を有効にするよう制御するステップと、
をコンピュータに実行させるための制御プログラム。
【発明の詳細な説明】
【技術分野】
【０００１】
本発明は、制御装置、制御方法及び制御プログラムに関する。
【背景技術】
【０００２】
プリンターなどの画像形成装置には、例えばステープル装置、製本装置、折り装置及びパンチ装置などの後処理機が設けられる場合があり、印刷ジョブに様々な後処理設定がなされることがある。
【０００３】
また、デジタル印刷機では、より多様な要求が存在し、ページ、章といった部分的な単位に設定を施したいというニーズが存在する。例えば、６章からなる配布資料の文書全体に対してバインディング目的でパンチ左側２箇所の設定を施し、５章目のみ単なる参考資料として間に挟むというようなニーズがある。この場合、１−４章及び６章をパンチ左側２箇所とし、５章をステープル上側２箇所とすることなどが必要となる。
【０００４】
例えば、特許文献１には、印刷後の複数のサブセットに共通に適用される後処理を示す全体処理を設定し、設定された全体処理とともに設定可能な後処理であって、かつ、印刷後のサブセットごとに適用される後処理を示す個別処理を設定する印刷システムが開示されている。
【発明の概要】
【発明が解決しようとする課題】
【０００５】
しかしながら、従来技術では文書全体に対して後処理設定を施した後に、サブセットごとに異なる設定に変更する場合、設定が競合し、全体としての後処理を設定し直す必要が生じることがあった。
【０００６】
本発明は、上記に鑑みてなされたものであって、文書全体に設定された後処理に対して矛盾する設定を個別範囲に対して容易に実施することができる制御装置、制御方法及び制御プログラムを提供することを目的とする。
【課題を解決するための手段】
【０００７】
上述した課題を解決し、目的を達成するために、本発明は、設定に応じて印刷物に後処理を実施する後処理機に対し、印刷物の全体及び任意の個別範囲に適用する後処理を設定する印刷設定部と、印刷物の全体に適用する後処理の設定と前記個別範囲に適用する後処理の設定とに矛盾が生じる場合、印刷物の全体に適用される後処理の設定を少なくとも前記個別範囲に対して解除し、前記個別範囲に適用する後処理の設定を有効にするよう制御する制御部と、を有する。
【発明の効果】
【０００８】
本発明によれば、文書全体に設定された後処理に対して矛盾する設定を個別範囲に対して容易に実施することができるという効果を奏する。
【図面の簡単な説明】
【０００９】
【図１】図１は、実施の形態にかかる制御装置を有する印刷システムの構成例を示す構成図である。
【図２】図２は、制御装置のハードウェア構成例を示すブロック図である。
【図３】図３は、制御装置が有する機能の概略を示す図である。
【図４】図４は、制御装置が表示する章構成の設定画面例を示す図である。
【図５】図５は、制御装置が表示する印刷文書全体に対する後処理設定を行う画面例を示す図である。
【図６】図６は、制御装置が表示する個別範囲に対する後処理設定を行う画面例を示す図である。
【図７】図７は、印刷文書全体に対する後処理と個別範囲に対する後処理とに矛盾が生じた場合に制御装置が行う処理の第１例を示すフローチャートである。
【図８】図８は、図７に示した処理の第１例を制御装置が行った結果の印刷物を例示する図である。
【図９】図９は、個別範囲に対して全体設定を解除して個別設定を適用する前に制御装置が表示する第１画面例を示す図である。
【図１０】図１０は、印刷文書全体に対する後処理と個別範囲に対する後処理とに矛盾が生じた場合に制御装置が行う処理の第２例を示すフローチャートである。
【図１１】図１１は、図１０に示した処理の第２例を制御装置が行った結果の印刷物を例示する図である。
【図１２】図１２は、個別範囲に対して全体設定を解除して個別設定を適用する前に制御装置が表示する第２画面例を示す図である。
【図１３】図１３は、印刷文書全体に対する後処理と個別範囲に対する後処理とに矛盾が生じた場合の動作を設定可能にする表示画面例を示す図である。
【発明を実施するための形態】
【００１０】
以下に添付図面を参照して、実施の形態にかかる制御装置を有する印刷システムについて説明する。図１は、実施の形態にかかる制御装置１を有する印刷システムの構成例を示す構成図である。図１に示すように、印刷システムは、例えば制御装置１、及び印刷装置２−１〜２−３がネットワーク３を介して接続されることによって構成される。
【００１１】
制御装置１は、ユーザーの操作に応じて動作する（ユーザー）クライアントであり、例えばユーザーが印刷業者に対して印刷業務を委託するために使用するコンピュータである。印刷装置２−１〜２−３は、例えばプリンターであり、制御装置１又は図示しないプリントサーバーなどの制御に応じて印刷データから印刷イメージを生成し、所定の用紙上に印刷を行う。また、印刷装置２−１〜２−３は、図示しないステープル装置、製本装置、折り装置及びパンチ装置などの後処理機が設けられている。
【００１２】
図２は、制御装置１のハードウェア構成例を示すブロック図である。図２に示すように、制御装置１は、例えばキーボード１００、マウス１０２、ディスプレイ１０４、ＲＯＭ１０６、ＲＡＭ１０８、ＨＤＤ（Hard  Disk  Drive）１１０、ＦＤＤ（Flexible  Disk  Drive）１１２、ＣＤＤ（Compact  Disc  Drive）１１４、ＤＶＤＤ（DVD  Drive）１１６、インターフェイス（Ｉ／Ｆ）１１８及びＣＰＵ１２０を有する。例えばディスプレイ１０４は、制御結果などを出力する出力部となる。ＦＤＤ１１２は、フレキシブルディスク（ＦＤ）を駆動する、ＣＤＤ１１４は、ＣＤを駆動する。ＤＶＤＤ１１６は、ＤＶＤを駆動する。Ｉ／Ｆ１１８は、ネットワーク３を介して他の装置と通信を行う。
【００１３】
次に、制御装置１が有する機能について説明する。図３は、制御装置１が有する機能の概略を示す図である。図３に示すように、制御装置１は、ユーザーインターフェイスとして、原稿表示部４０、原稿ページ表示部４２、印刷用紙表示部４４及びプレビュー表示部４６を有する。また、制御装置１は、原稿入稿部４００、原稿編集部４０２、ページ編集部４２０、構成設定部４４０、例外／用紙設定部４４２、面付け設定部４４４、印刷設定（後処理）部４４６及びイメージ生成部４６０を有する。
【００１４】
原稿表示部４０は、ジョブ作成、ジョブ保存、ジョブ検索及びジョブ編集の対象となる原稿（データ）を表示する。具体的には、原稿表示部４０は、原稿入稿部４００がジョブとして受付けた原稿を表示する。また、原稿表示部４０は、原稿編集部４０２が行う原稿の移動、削除及び白紙挿入などの処理結果を表示する。
【００１５】
原稿ページ表示部４２は、原稿をページ単位で表示する。例えば、ページ編集部４２０が行う画像補正及びオーバーレイ編集などの処理結果などを表示する。
【００１６】
印刷用紙表示部４４は、例えば原稿が印刷される用紙を表示する。例えば、印刷用紙表示部４４は、構成設定部４４０が行う構成設定、例外／用紙設定部４４２が行う例外／用紙設定、面付け設定部４４４が行う面付け設定、及び印刷設定部４４６が行う印刷設定（後処理）が反映された用紙の状態を表示する。
【００１７】
プレビュー表示部４６は、制御結果となる印刷のプレビュー表示を行う。例えば、プレビュー表示部４６は、イメージ生成部４６０が生成する印刷の仕上がりイメージを表示する。
【００１８】
そして、制御装置１は、処理結果を印刷原稿の部数設定、排紙トレイ設定、印刷ファイルなどとして保存する。また、制御装置１は、処理結果をＩ／Ｆ１１８を介してプリンター（印刷装置２−１〜２−３のいずれか）へ出力する。具体的には、印刷ジョブが印刷装置２−１〜２−３にスケジュールされると、制御装置１は、Ｉ／Ｆ１１８を介して印刷を実行する。なお、原稿入稿部４００、原稿編集部４０２、ページ編集部４２０、構成設定部４４０、例外／用紙設定部４４２、面付け設定部４４４、印刷設定（後処理）部４４６及びイメージ生成部４６０は、それぞれ設定を記憶する記憶部としての機能を有していてもよい。
【００１９】
次に、制御装置１が表示するユーザーインターフェイスの例について説明する。図４は、制御装置１が表示する章構成の設定画面例を示す図である。図４においては、例えば図３に示した原稿編集部４０２が原稿の移動などによって章構成を行った結果を原稿表示部４０が表示している。
【００２０】
図５は、制御装置１が表示する印刷文書（ジョブ）全体に対する後処理設定を行う画面例を示す図である。図５においては、例えば図３に示した印刷設定（後処理）部４４６などが印刷文書（ジョブ）全体に対して後処理を設定した結果を印刷用紙表示部４４が表示している。
【００２１】
図６は、制御装置１が表示する個別範囲（原稿全体の任意の一部分）に対する後処理設定を行う画面例を示す図である。図６においては、例えば図３に示した印刷設定（後処理）部４４６などが個別範囲に対して後処理を設定した結果を印刷用紙表示部４４が表示している。
【００２２】
ここで、図５に示した印刷文書（ジョブ）全体に対する後処理設定（全体設定）と、図６に示した個別範囲に対する後処理設定（個別設定）とに矛盾が生じる場合には、制御装置１は、ＣＰＵ１２０などで構成される制御部による次のような制御を行う。即ち、制御装置１は、印刷文書（ジョブ）の全体に適用される後処理設定を少なくとも個別範囲に対して解除し、個別範囲に適用する後処理設定を有効にするよう制御する。
【００２３】
図７は、印刷文書全体に対する後処理と個別範囲に対する後処理とに矛盾が生じた場合に制御装置１が行う処理の第１例を示すフローチャートである。図７に示すように、ステップ１００（Ｓ１００）において、制御装置１は、ジョブ全体に対する後処理設定（全体設定）があるか否かを判定する。制御装置１は、ジョブ全体に対する後処理設定があると判定した場合（Ｓ１００：Ｙｅｓ）には、Ｓ１０２の処理に進む。また、制御装置１は、ジョブ全体に対する後処理設定がないと判定した場合（Ｓ１００：Ｎｏ）には、処理を終了する。
【００２４】
ステップ１０２（Ｓ１０２）において、制御装置１は、個別範囲に対する後処理設定があるか否かを判定する。制御装置１は、個別範囲に対する後処理設定（個別設定）があると判定した場合（Ｓ１０２：Ｙｅｓ）には、Ｓ１０４の処理に進む。また、制御装置１は、個別範囲に対する後処理設定がないと判定した場合（Ｓ１０２：Ｎｏ）には、処理を終了する。
【００２５】
ステップ１０４（Ｓ１０４）において、制御装置１は、個別設定が全体設定と競合する（ジョブ全体に対する後処理設定と個別範囲に対する後処理設定とに矛盾が生じる）か否かを判定する。制御装置１は、個別範囲の設定が全体設定と競合すると判定した場合（Ｓ１０４：Ｙｅｓ）には、Ｓ１０６の処理に進む。また、制御装置１は、個別範囲の設定が全体設定と競合しないと判定した場合（Ｓ１０４：Ｎｏ）には、処理を終了する。
【００２６】
ステップ１０６（Ｓ１０６）において、制御装置１は、全体設定は保持したまま個別範囲に対する全体設定を解除する。つまり、制御装置１は、個別範囲に対し、全体設定の後処理を解除して、個別範囲に対して設定された後処理を有効にする。また、制御装置１は、個別範囲以外の範囲に対しては全体設定を有効にする。
【００２７】
このように、制御装置１が行う処理の第１例では、印刷文書全体に適用された後処理設定と競合する後処理設定を個別範囲に設定する場合、個別範囲へ適用されている文書全体に対する後処理設定を解除し、個別範囲へ新たな後処理設定を適用する。ここで、制御装置１は、個別範囲以外の範囲に関して設定を保持したままである。
【００２８】
図８は、図７に示した処理の第１例を制御装置１が行った結果の印刷物を例示する図である。なお、図８の左側には、印刷文書全体に対して全体設定（綴じ：製本）がそのまま適用された状態が示されている。制御装置１は、処理の第１例を実行すると、印刷文書全体（第１〜３章）に対して全体設定（綴じ）が適用されていても、個別範囲（第２章）に対して個別設定（ステープル）が適用されると、個別範囲にステープルを行い、個別範囲以外に綴じを行うよう制御する。
【００２９】
また、制御装置１は、全体設定と個別設定とに矛盾が生じる場合に、個別範囲に対して全体設定を解除して個別設定を適用する制御を行う前に、制御内容を示す表示を行うように構成されてもよい。例えば、図９は、個別範囲に対して全体設定を解除して個別設定を適用する前に制御装置１が表示する第１画面例（アラート）を示す図である。図９に示すように、制御装置１は、例えば個別範囲に対して全体設定を解除して個別設定を適用する制御の実行可否をユーザーに問うように構成されてもよい。制御装置１は、全体設定を少なくとも個別範囲に対して解除し、個別設定を有効にする指示情報を受入れた場合に、印刷物の全体に適用される後処理設定を少なくとも個別範囲に対して解除し、個別範囲に適用する後処理設定を有効にする。
【００３０】
図１０は、印刷文書全体に対する後処理と個別範囲に対する後処理とに矛盾が生じた場合に制御装置１が行う処理の第２例を示すフローチャートである。なお、図１０に示した処理の第２例において、図７に示した処理の第１例と実質的に同一の処理には同一の符号が付してある。図１１は、図１０に示した処理の第２例を制御装置１が行った結果の印刷物を例示する図である。図１２は、個別範囲に対して全体設定を解除して個別設定を適用する前に制御装置１が表示する第２画面例（アラート）を示す図である。
【００３１】
図１０に示すように、ステップ２００（Ｓ２００）において、制御装置１は、例えば図１２に示したアラートを表示し、全体設定を解除するか否かを示すユーザーからの指示情報の入力を受入れる。つまり、制御装置１は、印刷物の全体に適用される後処理設定を、印刷物の全体又は個別範囲のいずれに対して解除するかを指示する指示情報の入力を促す情報を出力する。制御装置１は、全体設定を解除する入力を受入れた場合（Ｓ２００：Ｙｅｓ）には、Ｓ２０２の処理に進む。また、制御装置１は、全体設定を解除しない入力を受入れた場合（Ｓ２００：Ｎｏ）には、Ｓ１０６の処理に進む。
【００３２】
ステップ２０２（Ｓ２０２）において、制御装置１は、ジョブ全体に対する後処理設定を解除する。つまり、制御装置１は、ジョブ全体に対して後処理設定を解除し、個別範囲に対してのみ新たに設定された後処理を有効にする。従って、制御装置１は、図１１に示すように、全体設定を全て無効にする。図１１において、左側には、印刷文書全体に対して全体設定（綴じ：製本）がそのまま適用された状態（設定解除前の状態）が示されている。制御装置１は、処理の第２例を実行すると、印刷文書全体（第１〜３章）に対して全体設定（綴じ）が適用されていても、個別範囲（第２章）に対して個別設定（ステープル）を行い、個別範囲以外の設定（綴じ）を解除するよう制御する。
【００３３】
このように、制御装置１が行う処理の第２例では、印刷文書全体に適用された後処理設定と競合する後処理設定を個別範囲に設定する場合、文書全体に対する後処理設定を解除し、個別範囲へ新たな後処理設定を適用する。ここで、制御装置１は、個別範囲以外の範囲に関して設定を解除している。
【００３４】
また、制御装置１は、印刷文書全体に対する後処理と個別範囲に対する後処理とに矛盾が生じた場合の動作（環境）が予め設定されるように構成されてもよい。図１３は、印刷文書全体に対する後処理と個別範囲に対する後処理とに矛盾が生じた場合の動作を設定可能にする表示画面例である。
【００３５】
制御装置１は、例えば図１３に示したチェックボックス（解除設定部）５０にチェックが入力されると、（ジョブ）全体と指定範囲（個別範囲）の後処理設定が競合する場合に、（ジョブ）全体に対する後処理設定を解除するように予め設定される。この場合、例えば制御装置１は、図１２に示した第２画面例（アラート）を表示することなく、設定に応じて制御を行う。
【００３６】
また、制御装置１は、チェックボックス５２にチェックが入力されると、（ジョブ）全体と指定範囲（個別範囲）の後処理設定が競合する場合において、さらに印刷物の排出先（接続先）が異なる場合、区切り紙を挿入するように予め設定される。
【００３７】
本実施形態の制御装置１で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されてコンピュータ・プログラム・プロダクトとして提供される。
【００３８】
また、本実施形態の制御装置１で実行される制御プログラムを、インターネット等のネットワークに接続されたコンピュータ上に格納し、ネットワーク経由でダウンロードさせることにより提供するように構成してもよい。また、本実施形態の制御装置１で実行される制御プログラムをインターネット等のネットワーク経由で提供又は配布するように構成してもよい。
【００３９】
また、本実施形態の制御プログラムを、ＲＯＭ等に予め組み込んで提供するように構成してもよい。
【００４０】
本実施形態の制御装置１で実行される制御プログラムは、例えば上述した各部（原稿入稿部４００、原稿編集部４０２、ページ編集部４２０、構成設定部４４０、例外／用紙設定部４４２、面付け設定部４４４、印刷設定部４４６及びイメージ生成部４６０など）を含むモジュール構成となっている。また、実際のハードウェアとしてはＣＰＵ１２０が上記記憶媒体から制御プログラムを読み出して実行することにより上記各部が主記憶装置上にロードされる。
【符号の説明】
【００４１】
１  制御装置
２−１〜２−３  印刷装置
３  ネットワーク
４０  原稿表示部
４２  原稿ページ表示部
４４  印刷用紙表示部
４６  プレビュー表示部
５０，５２  チェックボックス
１０４  ディスプレイ
１１８  Ｉ／Ｆ
１２０  ＣＰＵ
４００  原稿入稿部
４０２  原稿編集部
４２０  ページ編集部
４４０  構成設定部
４４２  例外／用紙設定部
４４４  面付け設定部
４４６  印刷設定部
４６０  イメージ生成部
【先行技術文献】
【特許文献】
【００４２】
【特許文献１】特開２０１０−４２５７３号公報
【図１】
2014127044.tif 000003
【図２】
2014127044.tif 000004
【図３】
2014127044.tif 000005
【図４】
2014127044.tif 000006
【図５】
2014127044.tif 000007
【図６】
2014127044.tif 000008
【図７】
2014127044.tif 000009
【図８】
2014127044.tif 000010
【図９】
2014127044.tif 000011
【図１０】
2014127044.tif 000012
【図１１】
2014127044.tif 000013
【図１２】
2014127044.tif 000014
【図１３】
2014127044.tif 000015